(57)【特許請求の範囲】
【請求項１】
薄型テレビを、壁面に突設された掛止部材に対して、その背面に設けられたブラケットの吊持部を係合させて壁掛けすべく構成された薄型テレビの壁掛け装置であって、
前記ブラケットは、前記掛止部材への吊持部と、テレビ背面に取付けされるテレビ取付け部と、前記吊持部よりも下側でテレビ背面と壁面との離間を保持するよう形成された補助支持部とを備えて構成されると共に、
前記掛止部材を、壁面へ取り付けられる取付け片と該取付け片から前方に突出するフック片とにより形成されて、左右に所定の広幅な間隔を存して壁面に突設される一対のフック体と、前記フック片の壁面から離間した位置に設けられた支持部にその両端側が支持される長尺に設定された固定バーとで構成し、
該掛止部材が取り付けられた壁面の前記フック体間の下方に、前記補助支持部の端部を受け止め支持する受け部材を壁面に設ける一方、
前記吊持部は、上端側が固定バーに引掛け係合可能に逆Ｕ字状に折曲形成され、前記広幅なフック体間に左右方向任意位置にスライド調整による位置決め変更可能な所定の幅狭間隔を存して前記固定バーに係合されて、前記それぞれのフック体に対して分担吊持されるよう一対に構成せしめ、
前記ブラケットが取付けされた薄型テレビを、前記広幅間隔をもって壁面に突設されたフック体間に、前記一対の吊持部を前記固定バーへ係合させた状態からスライド調整位置決めさせて分担支持し、当該位置決めに応じて、前記補助支持部の端部を、壁面に取り付けられた前記受け部材に対して、前記固定バーよりも壁面側で係止することで壁掛けセットすべく構成したことを特徴とする薄型テレビの壁掛け装置。
【請求項２】
請求項１において、前記支持部を、前記固定バーの選択的な支持を可能とすべく前記フック体の前後方向に並設せしめ、前記薄型テレビの垂直姿勢と傾斜姿勢との姿勢切換えを可能に構成してあることを特徴とする薄型テレビの壁掛け装置。
【請求項３】
請求項１または２の何れかにおいて、前記受け部材は、上方に開口する凹状溝を有し、該凹状溝で前記補助支持部の端部を受け止め支持することを特徴とする薄型テレビの壁掛け装置。
【請求項４】
請求項１乃至３の何れかにおいて、前記ブラケットは、前記吊持部とテレビ取付け部と補助支持部とが縦列状に一体形成された部材を組として構成されていることを特徴とする薄型テレビの壁掛け装置。
【請求項５】
請求項１乃至４の何れかにおいて、前記固定バーは、前記フック体と共に、床面から立ち上がる支持脚により支持されていることを特徴とする薄型テレビの壁掛け装置。
【請求項６】
請求項１乃至５の何れかにおいて、前記固定バーを、前記支持部に対して係脱可能に構成すると共に、該固定バーを、前記吊持部と一体的に結合せしめ、その両端を前記支持部に直接的に係合すべく、前記ブラケットに形成される一対の吊持部に構成したことを特徴とする薄型テレビの壁掛け装置。
【請求項７】
壁面に所定間隔を存して突設された一対のフック体と該フック体に両端支持される固定バーを備えた掛止部材と、テレビ背面に取付けられて前記掛止部材への一対の吊持部とテレビ背面と壁面との離間を保持しする補助支持部を備えたブラケットと、前記補助支持部を受け止め支持する受け部材とを用いて薄型テレビを壁面に取り付けするにあたり、
前記固定バーは、前記吊持部の間隔よりも長尺に設定させておき、前記一対のフック体同士の間隔が可変されても支持できるよう前記フック体にスライド可能に挿入され、
この状態で薄型テレビを吊持する所定高さの個所に前記ブラケットをあてがい、前記掛止部材と受け部材を位置決めし、一方のフック体を固定バーから取り外して壁面に取り付けした後、この一方のフック体に対して固定バーの一端側を掛合させて他方のフック体をスライド調整しなかせら広幅間隔をもって壁面に取り付けし、
次いで、前記ブラケットを薄型テレビの背面に取り付けし、前記広幅間隔をもって壁面に突設されたフック体間で、前記固定バーに、前記一対の吊持部を係止させて分担支持させして吊持すると共に、この係止させた状態からテレビを左右方向にスライド調整して位置決めし、
当該位置決めに応じて、前記補助支持部の端部を、壁面に取り付けられた前記受け部材に対して、前記固定バーよりも壁面側で係止させて、薄型テレビを壁面に取り付けすることを特徴とする薄型テレビの壁掛け方法。
【発明の詳細な説明】
【技術分野】
【０００１】
本発明は、薄型テレビを壁面に吊持ち状に取付けするための薄型テレビの壁掛け装置、および壁掛け方法に関する。
【背景技術】
【０００２】
近年、液晶テレビやプラズマテレビなどの薄型テレビは、画面が大型化されつつも、３２型〜５０型画面（幅約８００〜１３００ｍｍ）の大型テレビであっても、その重さが１１〜２２ｋｇと軽量化が図られ、壁掛け可能な重さになっており、各機種共にテレビ背面側に設けられた専用の取付部に対して、種々の薄型テレビの壁掛け装置が提案されている。
【０００３】
たとえば、特許文献１に示すものにあるように、掛止部材としてのＬ字状のフック（３３）を壁面に突出させて取付けし、テレビの背面側に設けたブラケットとしての把持部（係合部）（１７）を、フック（３３）に引っ掛けて吊持ちさせておくものが知られているが、このものは小型で極めて軽量なものを吊持できても、全てのテレビ荷重がＬ字状のフック（３３）一点に集中して掛かり大型テレビの吊持には適さないものであった。
【０００４】
また、特許文献２に示すもののように、掛止部材としての横長板状のベース金具（１）を壁面に突出させて取付けし、テレビの背面側に設けたブラケットとしての横長板状の吊持金具（２）を、ベース金具（１）に線接・面接状に引っ掛けて吊持ちさせておくものが知られているが、このものは、特許文献１のもののように、一点集中荷重がベース金具（１）に掛かることはないが、テレビ下端側が自由端となっているため、テレビ背面に設けられたビデオ端子やアンテナ端子など、種々の接続端子に接続されたコードやその端子が壁面に当接し傷めてしまう危惧がある。
【０００５】
ところで、近年のマンションや住宅の内装壁には、石膏ボードが採用されており、その壁下地も所定間隔（約４５０〜５００ｍｍ間隔）に立設した木製の間柱構造となっている。そのため、壁掛け装置を、柱が存在しない部分へアンカーネジなどで取付けすると、脆い石膏ボードのみで支えることとなり吊持強度を確保することが難しく、壁掛け装置自体が抜け落ちてテレビを損傷させてしまう恐れがあることから、壁下地の補修を行なって取付けするなどの対策が採られている。
また、上記のフック（３３）やベース金具（１）のものでは、壁下地となる１本間柱に直接ネジ止めして取付けすることはできるものの、カーテンレールのように２本の間柱に固定することができず、長年の地震等の揺れに対し、その吊持状態を適正に維持する耐久性の確保が難しいという問題があり、何れのものも大型テレビの壁掛け装置としては不向きであった。
【特許文献１】特開２００５−１１５４０３号公報
【特許文献２】登実３１１０７００号公報
【発明の開示】
【発明が解決しようとする課題】
【０００６】
本発明は、上記の如き問題点を一掃すべく創案されたものであって、薄型テレビを壁面に吊持するものでありながら、脆い石膏ボードが用いられている壁面であっても、壁面への掛止部材を２本の間柱に対して取付けすることを可能とし得て、掛止部材に対するテレビ荷重を分担させて吊持することができるばかりか、テレビを補助支持部と共に全体のテレビ荷重を分散させた状態で壁掛け支持することができ、しかも、テレビ背面に設けられた種々の接続端子に接続されたコードやその端子が壁面にテレビ荷重により押しつけられてしまうことを回避し、吊持した状態からでもこれら接続端子の抜き差し操作を行うことができる薄型テレビの壁掛け装置の提供を目的とする。
【課題を解決するための手段】
【０００７】
上記課題を解決するために本発明の薄型テレビの壁掛け装置は、薄型テレビを、壁面に突設された掛止部材に対して、その背面に設けられたブラケットの吊持部を係合させて壁掛けすべく構成された薄型テレビの壁掛け装置であって、前記ブラケットは、前記掛止部材への吊持部と、テレビ背面に取付けされるテレビ取付け部と、前記吊持部よりも下側でテレビ背面と壁面との離間を保持するよう形成された補助支持部とを備えて構成されると共に、前記掛止部材を、壁面へ取り付けられる取付け片と該取付け片から前方に突出するフック片とにより形成されて、左右に所定間隔を存して壁面に突設される一対のフック体と、前記フック片の壁面から離間した位置に設けられた支持部にその両端側が支持される長尺に設定された固定バーとで構成し、該掛止部材が取り付けられた壁面の前記フック体間の下方に、前記補助支持部の端部を受け止め支持する受け部材を壁面に設ける一方、前記吊持部は、上端側が固定バーに引掛け係合可能に逆Ｕ字状に折曲形成され、前記広幅なフック体間に左右方向任意位置にスライド調整による位置決め変更可能な所定の幅狭間隔を存して前記固定バーに係合されて、前記それぞれのフック体に対して分担吊持されるよう一対に構成せしめ、前記ブラケットが取付けされた薄型テレビを、前記広幅間隔をもって壁面に突設されたフック体間に、前記一対の吊持部を前記固定バーへ係合させた状態からスライド調整位置決めさせて分担支持し、当該位置決めに応じて、前記補助支持部の端部を、壁面に取り付けられた前記受け部材に対して、前記固定バーよりも壁面側で係止することで壁掛けセットすべく構成したことを特徴とするものである。
【発明の効果】
【０００８】
本発明は、上記のように構成したことにより、薄型テレビを壁面に吊持するものでありながら、テレビ背面となる上側の壁面に、長尺に設定された固定バーと、これを広幅な間隔をもって両端支持するフック体が、その下側の壁面に、受け部材が、それぞれ個別に取付けられるので、脆い石膏ボードが用いられている壁面であっても、固定バーをフック体に対してスライド可能な構成とでき、それぞれフック体を壁下地となる間柱が配設された壁面や間柱等の下地が存在しないアンカーを要する壁面に対して、その両側の任意部位で壁面への配置間隔に応じてその間隔を可変して取付けすることが可能となるばかりか、ブラケットが取付けされた大きさの異なる薄型テレビであっても、この広幅なフック体間によって、固定バーが吊持部をスライド案内する案内レールとして機能し、固定バーへ吊持部を係止させた状態から任意位置にスライド調整により位置決め変更させてセットことが可能となり、壁面から離間した尺長な固定バーを介して各フック体にテレビ荷重を分担させて吊持することができる。しかも、この吊持状態で補助支持部の下端部が、セット位置に応じて、固定バーよりも壁面側で受け止め支持できるので、テレビを補助支持部と共に全体のテレビ荷重を分散させた状態で壁掛け支持することができ、吊持状態の恒久性を確保することができるだけでなく、補助支持部によって、テレビが垂直姿勢で壁掛けされた状態であっても壁面とテレビ背面との空間が確保され、テレビ背面に設けられた種々の接続端子に接続されたコードやその端子が、壁面にテレビ荷重により押しつけられて傷めてしまうことが回避されると共に、吊持した状態からでもこれら接続端子の抜き差し操作を行うことができる。
【発明を実施するための最良の形態】
【０００９】
以下、本発明の実施の形態を好適な実施の形態として例示する薄型テレビの壁掛け装置を図面に基づいて詳細に説明する。図１は、本発明の実施形態に係る薄型テレビの壁掛け装置の正面図である。この図に示すように、薄型テレビの壁掛け装置１は、壁面に取付けられる掛止部材２と、薄型テレビＴの背面に取付けられて掛止部材２に吊持されるブラケット３と、該ブラケット３をその下端側で位置ズレ規制して補助的に支持受けするＵ字状（し字状）に折曲形成された受け部材４とを備えて構成される。
【００１０】
前記掛止部材２は、左右に所定間隔を存して壁面に突設される一対のフック体２１と、このフック体２１に両端支持される円筒状の固定バー２２とで構成される。図２に示すように、フック体２１は、ビス５１により壁面へ取り付けされる取付け片２１１と、この取付け片２１１から前方に突出するフック片２１２とにより、略Ｔ字状に形成され、フック片２１２には固定バー２２を支持するための孔形状の支持部２１４ａと２１４ｂが前後方向に設けられている。また、フック片２１２は、支持部２１４ａと２１４ｂを上下方向に２分する形で、上片２１２ａが軸ピン２１３により回転可能に軸着され、上片２１２ａの開閉操作により、固定バー２２を支持部２１４ａと２１４ｂの何れかを選択して支持することができ、かつ左右方向スライド調整可能になっており、固定バー２２を支持した後に上片２１２ａをビス５２により締め付けして開閉不能とすると共に、固定バー２２を押圧してスライド不能に止着できるようになっている。なお、支持部２１４を１つとしても良く、また、ビス５１の取付け孔は固定バー２２の上側にも設けておけば強固に取り付けすることができる。
また、固定バー２２は、間柱７の配置間隔に応じて取り付けられるフック体２１同士の間隔が可変されても支持できるように長目に設定されている。
【００１１】
前記ブラケット３は、図３にも示すように、上端側が固定バー２２に引掛け係合可能に逆Ｕ字状（凹状）に折曲形成された固定バー２２への吊持部３１と、該吊持部３１から下方に延出形成されたテレビＴの背面に取着されるテレビ取付け部３２と、吊持部３１の下部側となるテレビ取付け部３２から壁面側にＬ字状に折曲されて下方に延出形成された、壁面との離間を保持し受け部材４に受け止め係止される補助支持部３３とで板状部材により一体的に折曲形成された部材を、それぞれ左右に組として備え、両者をテレビ取付け部３２に設けられた２本のスライド伸縮可能な２重筒構造の連結バー３４を介して連結されて構成される。なお、ブラケット３は、軽量化を図るため板状部材を採用したが、これをパイプ材等を折曲形成して採用しても良い。
【００１２】
テレビ取付け部３２には、テレビＴの背面に予め壁掛け部材が取り付けられるように穿設されたビス孔位置に対応して、ビス５３止めされる取付け孔３２１が縦方向左右対称状に複数穿設されており、連結バー３４の長さ調整により取付け孔３２１を適宜に選択して、大きさの異なるテレビＴへの取り付けが可能な構成となっている。なお、本実施例における取付け孔３２１は、３つの孔を組として都合４組のものとして設けたが、孔位置及び孔数を任意に設定できることは言うまでもない。また、連結バー３４は、テレビ取付け部３２がテレビＴへ強固に取り付けられるので不要とすることもできる。
【００１３】
また、補助支持部３３には、その下端部に逆Ｕ字状の切欠き孔（穿孔）３３１が設けられており、該切欠き孔３３１には、図示しない片面又は両面がＤカットされたナット付の係止ボルト５４の先端が廻り止め挿入され、ナットと係止ボルト５４の緊緩操作で、受け部材４の手前側と後側の立上り片間に突っ張り状に固定することで、ブラケット３を補助支持部３３で位置ズレ規制することができる用になっている。この位置ズレ固定操作は取付けの最終段階で行われる。
【００１４】
なお、本実施例では、吊持部３１をテレビ上方に配設し、補助支持部３３をテレビ下方に配設したがこれに限定されることなく、吊持部３１と掛止部材２、補助支持部３３と受け部材４の配設部位は任意に設定でき、吊持部３１をテレビ下方に配設して固定バー２２に載置状に吊持ちさせ、補助支持部３３をテレビ上方に配設しても良い。この場合、補助支持部３３の上端側を、吊持部３１と同様、受け部材４に引掛け係止可能に逆Ｕ字状に折曲形成させておけばよい。
また、受け部材４をＵ字状（し字状）に折曲形成された長尺材を使用したが、これに限定されることはなく、短尺なものに２分して部分的に使用したり、受け部材４の手前側立上り片にスライド部材を設けて、これを締め付け固定するなどしても良く、また、アンカーボルトを予め壁面に突設させておき、これを受け部材４に代用しても良く、さらに、中央に１個所設けるようにしても良い。要は、壁掛けされたブラケット３を位置決ズレ規制して、補助的に支持受けできる構成のもので有ればよい。
【００１５】
６は支持脚であって、該支持脚６は、床面から円弧状の台座６１を介して立ち上がる支持管６２と、該支持管６２の先端側に設けられて固定バー２２をフック体２１と共に支持する受け座６３とを備えて構成され、旧タイプの重量のあるテレビを吊持する場合や、間柱７にフック体２１を取り付けできない場合、車両通行等による振動が多い場合など、必要において設けられる。
支持管６２は、内部に位置調整孔が上下方向に複数穿設され、ボルト５５止めされる管体が嵌挿された、所謂、伸縮自在な２重管継ぎ手構造により長さ調整可能に構成される。
また、受け座６３は、筒管を２分して背面側が丁着（図示しない）され、上側半円部が開閉可能となっており、手前側でボルト５７締めされて固定バー２２に取付けされる。
このように構成すると、支持脚６をテレビＴが吊持された後においても、配置することができる。
【００１６】
次に、本発明の薄型テレビの壁掛け装置１を用いて、石膏ボードの壁パネル８の壁面にテレビＴを吊持する手順方法を説明する。
まず、掛止部材２と受け部材４を壁面に取付けするにあたり、壁下地として立設された間柱７の配置の確認を行い、テレビＴを吊持する所望の高さ位置に掛止部材２にブラケット３を引っ掛けた状態で、掛止部材２の取付け位置決めを行う。次いで、２つのフック体２１、２１を間柱７、７に取り付けするのであるが、その際、固定バー２２は、支持部２１４ａにスライド可能に挿入された状態から、一方のフック体２１を取り外して壁面に取り付けした後、この一方のフック体２１に対して固定バー２２の一端側を掛合させて他方のフック体２１を取り付けするようにすると、水平レベル出し等を含め取り付けが容易に行える。
受け部材４は、取り付けされた掛止部材２にブラケット３をセットし、補助支持部３３の先端に軽く触れる程度に位置決めして、間柱７にビス５６止めして取り付ける。
【００１７】
その後、ブラケット３を掛止部材２から取り外して、予めテレビＴの背面に設けられた壁掛け用のビス孔に対して、取付け孔３２１を適宜に位置合わせしてテレビ取付け部３２をビス５３止め取着する。その状態で一対の吊持部３１を固定バー２２に係合させて、固定バー２２を介してフック体２１に分担支持させた状態で吊持すると共に、補助支持部３３の先端を受け部材４の溝部に挿入し、テレビＴを左右にスライドさせて位置決め調整した後、切欠き孔３３１に係止ボルト５４を装着し、その緊緩操作によりブラケット３を位置決めすれば壁への取り付けセットが完了する。この壁掛け作業にあたっては、固定バー２２を取り外して吊持部３１に係合セットすれば、テレビＴを持ち上げるための手持ちハンドルとして利用することができる。
なお、壁下地に間柱７等の下地が存在しない個所に取り付ける場合には、アンカーボルトねじ方式や、壁パネル８にねじ孔を開け、凝固剤を注入する無機質ボンド注入型ケミカルアンカー方式を採用して掛止部材２と受け部材４を取り付け後、必要において支持脚６を用いれば、壁パネル８だけでテレビ等の荷重を保持することが回避され安心である。また、壁下地の横木などに取り付ける場合は、吊持部３１とテレビ取付け部３２とを分離し、両者を上下方向の高さ調整可能に連結しても良い。
【００１８】
たとえば、３２型画面（幅約８００ｍｍ）の薄型テレビＴを壁掛けする場合、間柱７は約４５０〜５００ｍｍ間隔で配設されているので、上述したように２つのフック体２１を一対として用いれば良く、また、５０型画面（幅約１３００ｍｍ）の薄型テレビＴを壁掛けする場合には、３つのフック体２１を一対として用い、固定バー２２の両端支持に加え中間支持により支持受けさせれば、各フック体２１にテレビ荷重を分担させて、より強固に吊持することができる。さらに強固に吊持したい場合には、受け部材４に掛止部材２の構成を適用し、補助支持部３３に吊持部３１を形成して補助支持部３３を受け止め支持するようにして、上下で吊持するようにしても良い。このように、フック体２１は、薄型テレビＴの大きさや重さに応じて、間柱の配置間隔に応じて、適宜数量を左右方向や上下方向に配置させることができ、吊持部３１も同様に適宜数を設けることができるので、各吊持部３１による固定バー２２への分担係合が２点個所のみによらず複数個所を一対のものとして（組として）分担吊持することが可能となる。
【００１９】
次に、テレビＴを壁面に吊持セットした状態から、垂直姿勢と傾斜姿勢の姿勢切換えについて、図４のテレビＴを壁面に吊持セットした状態を示す縦断側面図に基づいて説明する。この図に示すように、図４（Ａ）は支持部２１４ａに固定バー２２を支持させた垂直姿勢で壁掛けされた状態を示し、図４（Ｂ）は支持部２１４ｂに固定バー２２を支持させた傾斜姿勢で壁掛けされた状態を示している。この垂直姿勢から傾斜姿勢へテレビＴを姿勢切換えするには、先ず、係止ボルト５４を緩め、ビス５２を緩めて上片２１２ａを開く。固定バー２２を持ち上げるとブラケット３とテレビＴも持ち上がり、その状態から固定バー２２を支持部２１４ａから支持部２１４ｂに移動する。傾斜姿勢から垂直姿勢への姿勢切換えは、固定バー２２を支持部２１４ｂから支持部２１４ａへ逆方向に移動すれば良い。その後、係止ボルト５４とビス５２を締め付けすれば姿勢切換えが完了する。
【００２０】
叙述の如く構成された本発明の実施例の形態において、いま、薄型テレビＴを壁面に突設された掛止部材２に対して、その背面に設けられたブラケット３の吊持部３１を係合させて壁掛けするのであるが、本発明による薄型テレビの壁掛け装置１は、ブラケット３を、掛止部材２への吊持部３１と、テレビ背面に取付けされるテレビ取付け部３２と、前記吊持部３１よりも下側でテレビ背面と壁面との離間を保持するよう形成された補助支持部３３とを備えて構成すると共に、掛止部材２を、壁面へ取り付けられる取付け片２１１と該取付け片２１１から前方に突出するフック片２１２とにより形成されて、左右に所定の広幅な間隔を存して壁面に突設される一対のフック体２１、２１と、フック片２１１、２１１の壁面から離間した位置に設けられた支持部２１４に両端支持される長尺に設定された円筒状の固定バー２２とで構成し、該掛止部材２が取り付けられた壁面のフック体２１、２１間の下方に、補助支持部３３の下端部を受け止め支持する受け部材４を壁面に設ける一方、吊持部３１は、上端側が固定バー２２に引掛け係合可能に逆Ｕ字状に折曲形成され、広幅なフック体２１、２１間に左右方向任意位置にスライド調整による位置決め変更可能な所定の幅狭間隔を存して固定バー２２に係合されて、それぞれのフック体２１、２１に対して分担吊持されるよう一対に構成せしめ、ブラケット３が取付けされた薄型テレビＴを、広幅間隔をもって壁面に突設されたフック体２１、２１間に、一対の吊持部３１、３１を固定バー２２へ係合させた状態からスライド調整位置決めさせて分担支持し、当該位置決めに応じて、補助支持部３３の端部を、壁面に取り付けられた受け部材４に対して、固定バー２２よりも壁面側で係止することで壁掛けセットすべく構成されている。
【００２１】
このため、薄型テレビＴを壁面に吊持するものでありながら、テレビ背面となる上側の壁面に、長尺に設定された固定バー２２と、これを広幅な間隔をもって両端支持するフック体２１、２１が、その下側の壁面に、受け部材４が、それぞれ個別に取付けられるので、脆い石膏ボードが用いられている壁面であっても、固定バー２２をフック体２１、２１に対してスライド可能な構成とでき、それぞれフック体２１を壁下地となる間柱７が配設された壁面や間柱７等の下地が存在しないアンカーを要する壁面に対して、その両側の任意部位で壁面への配置間隔に応じてその間隔を可変して取り付けすることが可能となるばかりか、ブラケット３が取付けされた大きさの異なる薄型テレビＴを、この広幅なフック体２１、２１間によって、固定バー２２が吊持部３１、３１をスライド案内する案内レールとして機能し、固定バー２２へ吊持部３１を係止させた状態から任意位置に取付け前・後を問わずスライド調整により位置決め変更させてセットし、当該セット位置で補助支持部３３の端部を受け部材４に支持することが可能となり、壁面から離間した尺長な固定バー２２を介して各フック体２１、２１にテレビ荷重を分担させて吊持することができる。しかも、この吊持状態でテレビを補助支持部３３と共に、その下端部が、セット位置に応じて、固定バー２２よりも壁面側で受け部材４により受け止め支持することができるので、テレビ全体の荷重を上下に分散させた状態で壁掛けすることができ、吊持状態の恒久性を確保することができるだけでなく、補助支持部３３によって、テレビが垂直姿勢で壁掛けされた状態であっても壁面とテレビ背面との空間が確保され、テレビ背面に設けられた種々の接続端子に接続されたコードやその端子が、壁面にテレビ荷重により押しつけられて傷めてしまうことが回避されると共に、吊持した状態からでもこれら接続端子の抜き差し操作を行うことができる。
【００２２】
また、前記支持部２１４を、固定バー２２の選択的な支持を可能とすべくフック体２１、２１の前後方向に支持部２１４ａと２１４ｂとして並設せしめ、薄型テレビＴの垂直姿勢と傾斜姿勢との姿勢切換えを可能に構成してあるので、テレビＴを壁掛けセットが完了した後においても、殊更吊持状態を解除することなく、係止ボルト５４とビス５２の緊緩操作により、固定バー２２を支持部２１４ａと２１４ｂとの何れかを選択して移動するだけで、傾斜姿勢と垂直姿勢との姿勢切換えを行うことができる。
なお、支持部２１４ａと２１４ｂの選択は、上片２１２ａの開閉により行うようにしたが、これに限定されることなく、上片２１２ａを設けずにフック片２１２に支持部２１４ａと２１４ｂとを単に穿設して、その上方で固定バー２２が移動できるような連通孔とするなどして、移動切換え手段も適宜に変更できる。
【００２３】
また、前記受け部材４は、上方に開口する凹状溝を有し、該凹状溝で補助支持部３３の下端部を受け止め支持するよう構成されているので、固定バー２２が吊持部３１をスライド案内する案内レールとして機能すると同様に、受け部材４が補助支持部３３をスライド案内する案内レールとして機能することができ、壁掛け後のテレビＴの横移動調整を容易に行うことができ、また、テレビＴの垂直・傾斜の姿勢切換え時においても、補助支持部３３を容易に支持させることができる。
【００２４】
また、前記ブラケット３は、吊持部３１とテレビ取付け部３２と補助支持部３３とが縦列状に一体形成された部材を組として構成されているので、テレビＴの背面側に予め設けられた壁掛け部材取り付けようのビス孔の配列に応じて、これら各部３１，３２、３３が形成された部材を、２つ、３つといった任意組合せにより、また、その成形材料も板材のみならずパイプ材などにより容易に製作することができる。
【００２５】
また、前記固定バー２２は、フック体２１と共に、床面から立ち上がる支持脚６により支持させることにより、旧タイプの重量のあるテレビを吊持する場合や、間柱７にフック体２１を取り付けできない場合、車両通行等による振動が多い場合など、フック体２１や受け部材４に加わる荷重負担を軽減させて、より恒久的な吊持状態を維持することができる。
【００２６】
また、前記固定バー２２を、支持部２１４に対して係脱可能に構成すると共に、該固定バー２２を、吊持部３１と一体的に結合せしめ、その両端を支持部２１４に直接的に係合すべく、ブラケット３に形成される一対の吊持部３１に構成したことにより、掛止部材２をフック体２１、２１だけで構成することができ、さらに、支持部２１４ａと２１４ｂの係脱は、例示した上片２１２ａの開閉により行うようにしたので、テレビＴを吊持する際、固定バー２２単体を外して吊持部３１に係合させた場合は勿論、吊持部３１に一体的に結合させた場合にも、固定バー２２を把持し、テレビＴを持ち上げて支持部２１４ａまたは２１４ｂに掛止することができる手持ちハンドルとして兼用することができ、壁掛け作業をより安全かつ容易に行うことができる。
【図面の簡単な説明】
【００２７】
【図１】本発明の実施形態に係る薄型テレビの壁掛け装置の壁掛け状態を示す正面図である。
【図２】本発明の実施形態に係る薄型テレビの壁掛け装置の掛止部材に適用されるフック体の側面図である。
【図３】本発明の実施形態に係る薄型テレビの壁掛け装置に適用されるブラケットの斜視図である。
【図４】本発明の実施形態に係る薄型テレビの壁掛け装置を用いてテレビを吊持した状態の縦断面図で、（Ａ）は垂直姿勢で吊持した状態図、（Ｂ）は傾斜姿勢で吊持した状態図をしめすものである。
【符号の説明】
【００２８】
１      薄型テレビの壁掛け装置
２      掛止部材
２１    フック体
２１２  フック片
２１２ａ  上片
２１３  軸ピン
２１４ａ  支持部
２１４ｂ  支持部
２２    固定バー
３      ブラケット
３１    吊持部
３２    テレビ取付け部
３２１  取付け孔
３３    補助支持部
３３１  切欠き孔
３４    連結バー
４      受け部材
５１    ビス
５２    ビス
５３    ビス
５４    係止ボルト
５５    ボルト
５６    ビス
５７    ボルト
６      支持脚
６１    台座
６２    支持管
６３    受け座
７      間柱
８      壁パネル
Ｔ      薄型テレビ
【図１】
0005207122.tif 000002
【図２】
0005207122.tif 000003
【図３】
0005207122.tif 000004
【図４】
0005207122.tif 000005